(57)【要約】【課題】壁面への取付作業が容易であり、室内や壁面の外観を損なうことがなく、比較的重量のある装飾物品を壁面に飾ることのできる壁掛け具を提供する。【解決手段】多数個の取付孔１３を設けて、この取付孔１３に挿入される取付ねじ５により壁面１に取付固定するプレート本体１１と、係止手段により前記プレート本体１１の前面に着脱可能に係止されて、各取付孔１３を覆う大きさの覆いプレート１２と、から構成し、プレート本体１１の前面に覆いプレート１２を係止した状態で、プレート本体１１と覆いプレート１２との間の少なくとも上部に紐４を巻掛け可能な溝部１７を形成する。【選択図】図１
2006271991.tif 000002
【特許請求の範囲】
【請求項１】
多数個の取付孔が設けられ、この取付孔に挿通される取付ねじ又は取付ピンにより壁面に取付固定されるプレート本体と、
係止手段により前記プレート本体の前面に着脱可能に係止され、前記各取付孔を覆う大きさの覆いプレートと、から構成され、
前記プレート本体の前面に前記覆いプレートが係止された状態で、前記プレート本体と前記覆いプレートとの間の少なくとも上側に紐を巻掛け可能な溝部が形成されている、ことを特徴とする壁掛け具。
【請求項２】
前記係止手段は、プレート本体に対し覆いプレートを回してねじ嵌合させる構造である、ことを特徴とする請求項１記載の壁掛け具。
【請求項３】
前記係止手段は、プレート本体に対し覆いプレートを上から下にまたは横方向にスライドさせてあり継ぎする構造である、ことを特徴とする請求項１記載の壁掛け具。
【請求項４】
前記プレート本体の下部に吊下げフックが取り付けられている、ことを特徴とする請求項１ないし請求項３記載の壁掛け具。
【請求項５】
前記壁面に掛ける装飾物品の背面に前記覆いプレートが予め取付固定されるか又は一体成形されている、ことを特徴とする請求項１ないし請求項４記載の壁掛け具。
【発明の詳細な説明】
【技術分野】
【０００１】
本発明は、絵画等の装飾物品を壁面に掛けることができ、また、それ自体装飾物品として利用することが可能な壁掛け具に関するものである。
【背景技術】
【０００２】
図６は、壁面１に取付固定した従来一般の壁掛け具２を示している。図６に示す壁掛け具２は、壁面１に対し先端のねじ部２ａをねじ込みして壁面１に壁掛け具２を取付固定し、壁掛け具２のフック部２ｂに絵画の額物等を紐で吊下げるものである。その他にも、壁掛け具２の取付孔に取付ねじや取付ピンを挿通して壁面にねじ込みまたは打ち込み、壁面１に壁掛け具を取付固定するものもある。
【０００３】
前記従来一般の壁掛け具は、壁面１に絵画等を飾らない場合には、壁や室内のデザインを損ねることから、壁面仕上げ材に、内面に所定の爪を突設した雌部材を埋設し、外面に前記爪に係止される突起を突設した雄部材を、前記雌部材内に嵌挿してなる壁掛け具が知られている（特許文献１参照）。
【特許文献１】特開平９−１０８０８０号公報
【発明の開示】
【発明が解決しようとする課題】
【０００４】
しかし、前記特許文献１の壁掛け具２は、プラスターボードなどの壁面仕上げ材に比較的大きい孔を開け、孔内に雌部材を埋設し、次いで、雌部材の底部に設けた取付け孔に取付ねじ等を挿通し下地材にねじ込みして雌部材を固定し、次いで、雌部材内に雄部材を嵌挿するため、雌部材を壁面仕上げ材に埋設するための比較的大きい孔を壁面仕上げ材に開ける必要があり、壁掛け具の取付作業に非常に手間が掛かる。
【０００５】
本発明は、前記課題に鑑みてなされたもので、その目的は、壁面への取付作業が容易であり、室内や壁面の外観を損なうことがなく、比較的重量のある装飾物品を壁面に掛けることのできる壁掛け具を提供することにある。
【課題を解決するための手段】
【０００６】
上記課題を解決するために、本発明の請求項１に係る壁掛け具は、多数個の取付孔が設けられ、この取付孔に挿通される取付ねじ又は取付ピンにより壁面に取付固定されるプレート本体と、係止手段により前記プレート本体の前面に着脱可能に係止され、前記各取付孔を覆う大きさの覆いプレートと、から構成され、前記プレート本体の前面に前記覆いプレートが係止された状態で、前記プレート本体と前記覆いプレートとの間の少なくとも上側に紐を巻掛け可能な溝部が形成されている、ことを特徴とする。
【０００７】
請求項１に係る壁掛け具によると、プレート本体を取付孔に挿通される取付ねじ又は取付ピンにより壁面に取付固定するから、壁面への取付作業が極めて容易である。また、プレート本体の取付孔および取付孔に挿入された取付ねじ又は取付ピンはプレート本体の前面に係止される覆いプレートにより覆われるから、絵画等の装飾物品を壁面に飾らないときでも、室内又は壁面の外観を損なうことがない。この場合、覆いプレート自体を装飾性のある外観にすればさらによい。
【０００８】
また、プレート本体に多数個の取付孔を設けることにより、比較的重い装飾物品（例えば重量５ｋｇ以上の絵画等の額縁など）を壁面に飾りたい場合であっても、取付プレート全体の面として荷重を支えることができる。さらに、プレート本体の前面に覆いプレートを係止した状態で、プレート本体と覆いプレートとの間の少なくとも上側に紐を巻掛け可能な溝部を形成したので、装飾物品を吊下げる紐を同溝部に巻掛けして、装飾物品の荷重を分散させることができ、荷重を面全体で支える効果をより強調できる。
【０００９】
係止手段は、請求項２に記載したように、プレート本体に対し覆いプレートを回してねじ嵌合させる構造とするか、または、請求項３に記載したように、プレート本体に対し覆いプレートを上から下にまたは横方向にスライドさせてあり継ぎする構造であることが望ましい。係止手段をかかる構造とすることにより、着脱が容易でありかつ両者の係止状態を確実なものとする。
【００１０】
請求項４に記載したように、前記プレート本体の下部に吊下げフックが取り付けられていることが好ましい。吊下げフックに、小物の装飾物品や鍵等を吊下げることができる。
【００１１】
本発明の請求項５に係る壁掛け具は、壁面に掛ける装飾物品の背面に前記覆いプレートが予め取付固定されるか又は一体成形されていることを特徴とする。
【００１２】
通常、市販の壁掛け時計等の背面には壁面に取り付けたフックに壁掛け時計等の背面を引っ掛けるための係止穴が設けられている。ところが、係止穴にフックを単に引っ掛けて壁掛け時計等を壁面に掛けるだけなので、安定せず、地震時には揺れて落下しやすい問題がある。そこで、覆いプレートを市販の壁掛け時計等の装飾物品の背面に取付固定しておけば、安定して装飾物品を壁面に掛けることができる。ここで、プレート本体と覆いプレートとをねじ嵌合またはあり継ぎする構造の係止構造とすることにより、プレート本体と覆いプレートが互いに強固に安定的に係止し、地震時に装飾物品が壁面から落下するのを抑制することができる。覆いプレートを装飾物品の背面に取付固定する手段としては樹脂系等の接着剤、多数個の取付ねじ等が考えられる。取付ねじの場合、予め覆いプレートに取付孔を穿設しておく。また、覆いプレートは装飾物品の背面に一体成形してもよい。
【発明の効果】
【００１３】
以上説明したように、本発明に係る壁掛け具は、多数個の取付孔に取付ねじ又は取付ピンによってプレート本体を壁面に取付固定するようにしたから、壁掛け具の壁面への取付作業が容易であり、また、比較的重量のある装飾物品を壁面に掛けることができる効果を奏する。
【００１４】
また、プレート本体の前面に覆いプレートを着脱可能に係止したから、プレート本体の取付孔および取付孔内の取付ねじ又は取付ピンが外から見えず、したがって、室内や壁面の外観を損なわないという効果を奏する。
【００１５】
さらに、プレート本体に取付ねじ又は取付ピン用の多数個の取付孔を設けると共に、プレート本体と覆いプレートの係止状態において、両者の間の少なくとも上側に紐を巻掛け可能な溝部を設けるようにしたから、装飾物品を吊下げる紐を同溝部に巻掛けして、比較的重量のある装飾物品であっても、荷重を分散して十分に支えることができるという効果を奏する。
【発明を実施するための最良の形態】
【００１６】
以下、本発明の実施の形態を、図１乃至図３を参照して説明する。
図１は本発明の第１の実施形態を示す壁掛け具１０のプレート本体１１と覆いプレート１２を示す斜視図、図２は壁面１に取付固定したプレート本体１１に覆いプレート１２を係止した状態を示す側断面図、図３は壁掛け具１０に絵画の額縁３を紐４によって吊下げた状態を示す正面図である。これらの図に示すように、本実施形態の壁掛け具１０は、壁面１に取付固定されるプレート本体１１と、このプレート本体１１の前面に着脱可能に係止される覆いプレート１２と、から構成されている。
【００１７】
前記プレート本体１１は、合成樹脂製等からなり、正面視して正方形をしており、その四隅には板厚方向に取付けねじ又は取付ピンを挿通させる合計４箇所の取付孔１３が穿設されている。このプレート本体１１の前面には円形の段部１１ａが形成されており、この円形の段部１１ａの前面には周縁部に沿って複数個（図１の例では真下位置を除く合計７箇所）の取付孔１３が穿設されている。さらに、円形の段部１１ａの正面には同じく円形の係止凸部１４ａが同軸的に形成されている。この係止凸部１４ａの前面にも略中央に取付孔１３が穿設されている。したがって、前記プレート本体１１は、多数個の取付孔１３に取付ねじ又は取付ピンを挿通して、この取付ねじ又は取付ピンにより壁面１に強固に取付固定することができる。
【００１８】
図２には、取付ねじ５でプレート本体１１を壁面１に取付固定した例が示されてあり、取付孔１３は、取付ねじ５のねじ部が挿通される小径部と、取付ねじ５の頭部が配置される大径部とから形成されている。この大径部によって取付ねじ５の頭部がプレート本体１１の前面から突出せず、従って、覆いプレート１２の係止時に覆いプレート１２の背面と取付ねじ５の頭部が干渉するおそれがない。
【００１９】
前記覆いプレート１２は、合成樹脂製等からなり、正面視して前記プレート本体１１の正面を覆う大きさの正方形をしており、その背面には前記プレート本体１１側の係止凸部１４ａにちょうど凹凸嵌合する大きさの円形の係止凹部１４ｂを有する円形の段部１２ａが形成されている。この係止凹部１４ｂの内周面には雌ねじ部１５ｂが形成されており、前記プレート本体１１側の係止凸部１４ａの外周面には前記雌ねじ部１５ｂに螺合する雄ねじ部１５ａが形成されている。したがって、壁面１に取付固定されたプレート本体１１の係止凸部１４ａに対し覆いプレート１２の係止凹部１４ｂを嵌め合わせて、覆いプレート１２を係合方向に回すことで、雌ねじ部１５ｂに雄ねじ部１５ａが螺合し、覆いプレート１２をプレート本体１１の前面に着脱可能に係止する。覆いプレート１２を逆方向に回せば、プレート本体１１との係合を解除できる。
【００２０】
プレート本体１１の下部には小物を吊下げる吊下げフック１６が取付けられている。この吊下げフック１６は、そのＬ字状の上部を、例えばプレート本体１１のプラスチック樹脂成型の段階でプレート本体１１の下部に埋設して一体化しておく。
【００２１】
プレート本体１１の前面に覆いプレート１２を係止した状態で、プレート本体１１側の円形の段部１１ａの外周面と、覆いプレート１２側の円形の段部１２ａの外周面とによって、図２に示すように、溝部１７が形成されている。この溝部１７は、図２および図３に示すように、絵画の額縁３を吊下げる紐４を溝底１７ａに巻掛け可能とする。
【００２２】
プレート本体１１の四隅の４箇所と、円形の段部１１ａの７箇所と、係止凸部１４ａの中央の１箇所に、それぞれ計１２個の取付孔１３を穿設し、計１２個の取付ねじ又は取付ピンで壁面１にプレート本体１１を取付固定できるようにしたから、壁面１に飾る額縁が比較的重量物でも、荷重を面全体に分散させることができ、耐荷重性に優れる。なお、壁面１に飾る額縁の重量に応じて取付ねじ又は取付ピンの数は適宜減らしてよいことはもちろんである。また、額縁３を吊下げる紐４を巻き掛ける溝部１７の溝底１７ａは、ゆるやかな円弧面をして巻き掛け領域が大きいので、プレート本体１１に掛かる荷重を面全体に分散させやすくなる効果がある。なお、プレート本体１１の背面と壁面１との間に両面接着部材等を介在させて耐荷重性を増加させてもよい。また、紐４を複数回溝部１７に巻掛けすることで、紐４の締め付け力が増加し、吊下げた額縁４の安定性が増加する。
【００２３】
覆いプレート１２は、プレート本体１１の多数個の取付孔１３を目隠しするものであるが、覆いプレート１２自体を小型の額縁に利用する他、覆いプレート１２をフォトプレート、時計、飾り台（グッズや写真、ＣＤケース等を飾るポケットやテーブルを前面に設けたもの）の背面に取付固定したり、覆いプレート１２の前面にフック状の長い金具を伸ばして風鈴吊るしとする等、広範囲の応用が可能である。また、プレートの形状をハート形、星形、りんごの形等にしてデザイン性を高めることも可能である。
【００２４】
以上に説明した壁掛け具１０は、プレート本体１１の表面に係止段部１１ａが１つ（即ち、係止凸部１４ａが１つ）のみ設けた例であるが、プレート本体１１を横長又は縦長にし、その表面に係止段部１１ａが複数個又は多数個（即ち、係止凸部１４aが複数個又は多数個）等間隔で設けるようにしてもよい。また、プレート本体１１を横長にしてＬ字に曲げると、出隅部、入隅部に取り付けることができる。さらに、プレート本体１１の面積を拡大し、係止段部１１ａが縦横に複数列又は多数列（即ち、係止凸部１４ａが縦横に複数列又は多数列）設けるようにしてよい。プレート本体１１の面積を拡大した分だけ、取付孔１３の数を増やすようにする。この場合、覆いプレート１２との間の係止手段をねじ嵌合式にする場合には、背面に１つの係止段部１２ａ（すなわち、１つの係止凹部１４ｂ）を設けた覆いプレート１２を必要個数準備し、係止段部１２ａごとに覆いプレート１２を回し操作して係止するようにする。同係止手段を一律の縦方向のあり継ぎ構造又は一律の横方向のあり継ぎ構造にする場合には、覆いプレート１２を必要個数準備して個々に係止するか、一枚の覆いプレート１２の背面に必要個数の係止段部１２ｂ（即ち、必要個数の凹部１４ｂ）を設けて同時に係止するようにする。プレート本体１１を横長にしてＬ字に曲げる場合には、覆いプレート１２もプレート本体１１の前面に形状が合致するように横長のＬ字に曲げ、両者間の係止手段を縦方向のあり継ぎ構造とする。なお、Ｌ字に曲げられた覆いプレート１２の前面下部に平板状の飾り台を設けてその上に飾りを置いてもよい。
【００２５】
図４に示す壁掛け具２０は、係止手段として、あり溝継ぎタイプを採用した例である。図４（ａ）に示すように、プレート本体１１の円形の段部１１ａの前面には上下方向に延びる係止凸部１８ａが突設されている。この係止凸部１８ａの両外側面１８ａ’は、図４（ｂ）に示すように、根元に向かうに従い互いの距離が接近するようなテーパー面とされている。一方、覆い部材１２の背面の円形の段部１２ａには下向きに開口し、前記係止凸部１８ａに上方より係止する係止凹部１８ｂが穿設されている。この係止凹部１８ｂの両内側面１８ｂ’は、奥方に向かうに従い末広がりとなるテーパ−面とされており、係止凹部１８ｂを前記係止凸部１８ａに上からあり継ぎする構造とされている。したがって、プレート本体１１に対する覆いプレート１２の着脱が簡単であり、かつ、係止状態では上方へ抜き取りしない限り、覆いプレート１２がプレート本体１１から外れることはない。
【００２６】
図４の壁掛け具２０のように、係止手段にあり継ぎ構造を採用すれば、壁面１に飾る額縁が紐で吊下げるタイプではない場合にも容易に対応可能である。すなわち、覆いプレート１２の前面を額縁の背面に固定して、額縁背面の覆いプレート１２を壁面１側のプレート本体１１に係止すればよい。額縁のサイズが大きい場合は、額縁の背面に２個乃至多数個の覆いプレート１２を均等に配置固定して、各均等に配置した覆いプレート１２に対応する２個乃至多数個のプレート本体１１を壁面１に取付固定する。覆いプレート１２を額縁背面に固定する手段としては、接着剤や取付ねじ等でよい。取付ねじの場合には、予め覆いプレート１２に取付孔を穿設しておく。覆いプレート１２は額縁背面に一体成形することもできる。
【００２７】
図４に示すあり継ぎ構造は、プレート本体１１に対し覆いプレート１２を縦方向、すなわち上から下にスライドさせて係止する形状であるが、あり継ぎ構造は、横方向、すなわち、図５の壁掛け具３０に示すように、プレート本体１１側の段部１１ａに横方向に延びる断面あり形状の係止凸部１９ａを突設し、覆いプレート１２側の段部１２ａに横方向に開口するあり溝形状の係止凹部１９ｂを穿設するようにしてもよい。
【００２８】
なお、係止手段としては、図１に示すねじ回し式、図４および図５に示すあり継ぎ式だけでなく、例えば、プレート本体１１側の係止凸部の上面を奥方に行くに従い下り斜面となるテーパ−面とし、覆いプレート１２側の係止凹部の内上面を引っ掛けるだけの簡単な構造のものも考えられる。
【産業上の利用可能性】
【００２９】
本発明に係る壁掛け具は、壁面に飾る絵画の額縁等の装飾物品を紐で吊下げる壁掛け具として、または装飾品を飾る飾り台として、さらにはそれ自体が壁面を飾る飾り具としても、利用可能である。
【図面の簡単な説明】
【００３０】
【図１】本発明に係る壁掛け具を示すプレート本体と覆いプレートの斜視図である。
【図２】壁面に取付ねじて取付固定したプレート本体に覆いプレートを係止した状態を示す断面図である。
【図３】図２に示す壁掛け具に絵画の額縁の紐を巻掛けて吊下げた状態を示す正面図である。
【図４】（ａ）は本発明に係る別の構造の壁掛け具を示すプレート本体と覆いプレートの斜視図、（ｂ）はプレート本体の水平断面図である。
【図５】本発明に係るさらに別の構造の壁掛け具を示すプレート本体と覆いプレートの斜視図である。
【図６】従来一般の壁掛け具を示す側面図である。
【符号の説明】
【００３１】
１  壁面
２、１０、２０、３０  壁掛け具
２ａ  ねじ部
２ｂ  フック部
３  額縁
４  紐
５  取付ねじ
１１  プレート本体
１１ａ、１２ａ  円形の段部
１２  覆いプレート
１３  取付孔
１４ａ、１８ａ、１９ａ  係止凸部
１８ａ’外側面
１４ｂ、１８ｂ、１９ｂ  係止凹部
１８ｂ’内側面
１５ａ  雄ねじ部
１５ｂ  雌めじ部
１６  吊下げフック
１７  溝部
１７ａ  溝底
【図１】
2006271991.tif 000003
【図２】
2006271991.tif 000004
【図３】
2006271991.tif 000005
【図４】
2006271991.tif 000006
【図５】
2006271991.tif 000007
【図６】
2006271991.tif 000008